(57)【要約】【課題】火災発生等によって周囲温度が異常に上昇した場合、ドアクローザ本体の発煙前にドアクローザ本体を確実に落下させることができるドアクローザ及びそれを備えた耐火建造物を提供すること。【解決手段】扉２に取り付けられるドアクローザ本体３と、ドアクローザ本体３に連結し扉枠４とブラケット５を介して取り付けられるアーム６，７とを備え、ドアクローザ本体３及びブラケット５を取り付ける取付ネジ１０，１１は、ドアクローザ本体３内部の作動油の発火温度よりも低い温度で溶融する部材で形成されている。【選択図】図１
2015059307.tif 000002
【特許請求の範囲】
【請求項１】
扉と該扉の周囲部材のいずれか一方の部材に取り付けられるドアクローザ本体と、前記ドアクローザ本体に連結し前記扉と該扉の周囲部材のいずれか他方の部材にブラケットを介して取り付けられるアームとを備え、
前記ドアクローザ本体及び前記ブラケットを取り付ける取付ネジは、前記ドアクローザ本体内部の作動油の発火温度よりも低い温度で溶融する部材で形成されていることを特徴とするドアクローザ。
【請求項２】
請求項１に記載したドアクローザを備えたことを特徴とする耐火建造物。
【発明の詳細な説明】
【技術分野】
【０００１】
この発明は、火災発生等によって周囲温度が異常に上昇した場合、ドアクローザ本体の発煙前にドアクローザ本体を確実に落下させることができるドアクローザ及びそれを備えた耐火建造物に関する。
【背景技術】
【０００２】
従来から、防火扉には、火災発生時の自閉機能を持たせるためにドアクローザが取り付けられている。このドアクローザは、閉鎖時における人が挟まれることや衝突防止のために一定速度を保って閉まるように、油圧作動を用いている。この結果、一定の時間以上、火災等で熱せられると、この作動油が発煙してしまう。
【０００３】
このため、特許文献１では、ドアクローザ本体を扉に取り付けるプレートなどの中継部材を、熱溶解性を有する部材で形成している。これにより、火災等によって周囲の温度が異常に上昇すると、中継部材が溶融し、ドアクローザ本体を落下させることによって、ドアクローザ本体から発煙したり、流出した油に引火したりしないようにしている。
【先行技術文献】
【特許文献】
【０００４】
【特許文献１】特開２０１２−１７６４６号公報
【発明の概要】
【発明が解決しようとする課題】
【０００５】
ところで、特許文献１に記載されたものは、プレートなどの中継部材を溶融させ、ドアクローザ本体を落下させようとするものである。しかし、中継部材が溶融してドアクローザ本体の取付ネジが緩んだとしても、取付ネジ自体は溶融しないため、ドアクローザ本体の自重によって取付ネジが鉛直方向に引き抜かれず斜めになり、ドアクローザ本体が引っ掛かった状態になる可能性がある。この場合、ドアクローザ本体は落下せず、作動油が発煙してしまうおそれがある。
【０００６】
この発明は、上記に鑑みてなされたものであって、火災発生等によって周囲温度が異常に上昇した場合、ドアクローザ本体の発煙前にドアクローザ本体を確実に落下させることができるドアクローザ及びそれを備えた耐火建造物を提供することを目的とする。
【課題を解決するための手段】
【０００７】
上述した課題を解決し、目的を達成するために、この発明にかかるドアクローザは、扉と該扉の周囲部材のいずれか一方の部材に取り付けられるドアクローザ本体と、前記ドアクローザ本体に連結し前記扉と該扉の周囲部材のいずれか他方の部材にブラケットを介して取り付けられるアームとを備え、前記ドアクローザ本体及び前記ブラケットを取り付ける取付ネジは、前記ドアクローザ本体内部の作動油の発火温度よりも低い温度で溶融する部材で形成されていることを特徴とする。
【０００８】
また、この発明にかかるドアクローザを備えた耐火建造物は、上記したドアクローザを備えたことを特徴とする。
【発明の効果】
【０００９】
この発明によれば、ドアクローザ本体及びブラケットを取り付ける取付ネジが、ドアクローザ本体内部の作動油の発火温度よりも低い温度で溶融する部材で形成され、取付ネジ自体が溶融してしまうので、確実にドアクローザ本体を落下させることができ、ドアクローザの発煙やドアクローザから流出した作動油に引火することを確実に防止することができる。
【図面の簡単な説明】
【００１０】
【図１】図１は、この発明の実施の形態であるドアクローザの取付状態を斜め下方からみた斜視図である。
【発明を実施するための形態】
【００１１】
以下、添付図面を参照してこの発明を実施するための形態について説明する。
【００１２】
図１に示すように、ドアクローザ１は、扉２の上端外面に取付ネジ１０を介して取り付けられるドアクローザ本体３と、扉２の周囲部材である扉２の上方の扉枠４に取付ネジ１１を介して取り付けられるブラケット５と、ドアクローザ本体３とブラケット５とを連結するアーム６，７とを備える。
【００１３】
ドアクローザ本体３は、内蔵されたバネや作動油の粘性を利用した減速装置や調整弁の働きによって扉２の閉鎖速度を調整するものである。本実施の形態では略直方体形状を成すものであるが、略円柱形状の組み合わせ等、ドアクローザとして用いられるものであれば本実施の形態の形状に特定されるものではない。
【００１４】
アーム６は、一方の端部がドアクローザ本体３の回転作用軸の上端部に取り付けられる。また、アーム７は、一方の端部がブラケット５の一端で回動自在に取り付けられる。アーム６の他方の端部とアーム７の他方の端部とは、それぞれ回動自在に取り付けられる。なお、アーム７は、長手方向に沿って伸縮可能に形成され、アームの長さを調整することができる。
【００１５】
ここで、取付ネジ１０，１１は、ドアクローザ本体３内部の作動油の発火温度よりも低い所定温度で溶融する部材で形成されるとともに、通常温度のときに閉鎖時の応力に耐え得る強度を有する部材で形成されている。作動油の発火温度よりも低い所定温度で溶融する部材とは、例えば鉛と錫の合金で融点が１８０℃程度の部材である。なお、金属に限らず、樹脂部材であってもよい。
【００１６】
このような構成を備えたドアクローザ１を扉２及び扉枠４に取り付けた状態において、火災等が発生して周囲の温度が所定温度以上に上昇すると、取付ネジ１０，１１はそれぞれ溶融する。この場合、取付ネジ１０，１１自体が溶融するため、ドアクローザ本体３は扉２から確実に外れ、ブラケット５も扉枠４から確実に外れ、ドアクローザ１全体がアーム６，７を伴って鉛直下方に確実に落下する。
【００１７】
これによって、火災等が発生しても、ドアクローザ本体３の作動油が発煙せず、漏れた作動油に引火することを確実に防止することができる。
【００１８】
また、耐火要求は、日時の経過や地域に応じて変化することがあり、迅速な対策を施すことが肝要である。従来の特許文献１に記載されたものは、プレートなどの中継部材に熱溶解性をもたせるものであるが、この中継部材などの交換は容易ではない。
【００１９】
これに対し、この実施の形態では、単に取付ネジ１０，１１を交換するのみでよいため、ドアクローザの発煙防止対策を迅速かつ容易に行うことができる。また、確実にドアクローザ本体を落下させることができ、ドアクローザの発煙やドアクローザから流出した作動油に引火することを確実に防止することができるので、扉に３時間耐火の性能が要求された場合にも、充分に対応可能である。
【００２０】
なお、取付ネジ１０，１１全体が溶融する必要はない。ドアクローザ本体３及びブラケット５が確実に落下するように全部の取付ネジが溶融すればよいのであり、たとえば、ドアクローザ本体３と扉２とが接触する部分近傍のみ、及びブラケット５と扉枠４が接触する部分近傍のみが溶融して破断する取付ネジであってもよいし、ネジ山部分にのみ溶融する部材を用いた取付ネジであってもよい。
【００２１】
また、ドアクローザ本体３が扉枠４に取り付けられ、ブラケット５が扉２に取り付けられるドアクローザであってもよい。
【００２２】
さらに、図１に示したドアクローザは、開き戸タイプであったが、引き戸タイプであっても本発明を適用することができる。引き戸タイプの場合でも、引戸クローザの取付ネジの全てが溶融することによって、作動油を用いた減速装置を含めた引戸クローザ全体が落下することになる。
【符号の説明】
【００２３】
１  ドアクローザ
２  扉
３  ドアクローザ本体
４  扉枠
５  ブラケット
６，７  アーム
１０，１１  取付ネジ
【図１】
2015059307.tif 000003